(57)【要約】【課題】情報又はグラフィックスを視覚的に消費者に提示するための新規な方法を提供する消費財用容器を提供する。【解決手段】消費財用容器（１０）は、外面の所定の領域（２０）にパターン（２２）を施した第１のパネル（１６）と、透明光学素子を含む第２のパネル（２６）とを備える。第１のパネル（１６）及び第２のパネル（２６）は、第２のパネル（２６）の透明光学素子が第１のパネル（１６）上のパターン（２２）の上に重ならない第１の位置と、第２のパネル（２６）の透明光学素子が少なくとも部分的に第１のパネル（１６）上のパターン（２２）の上に重なる第２の位置との間で互いに対して相対的に移動可能であり、変更されたパターンのイメージが透明光学素子を通して見えるようになっている。        【選択図】図１
2013538166.tif 000002
【特許請求の範囲】
【請求項１】
外面の所定の領域にパターンのある第１のパネルと、
透明光学素子を含む第２のパネルと、
を備え、
前記第１のパネル及び前記第２のパネルは、前記第２のパネルの前記透明光学素子が前記第１のパネル上の前記パターンの上に重ならない第１の位置と、前記第２のパネルの前記透明光学素子が少なくとも部分的に前記第１のパネル上の前記パターンの上に重なる第２の位置との間で互いに対して相対的に移動可能であり、変更された前記パターンのイメージが前記透明光学素子を通して見えるようになった、消費財用容器。
【請求項２】
前記透明光学素子は、１つ又はそれ以上のレンズを含む、請求項１に記載の容器。
【請求項３】
前記透明光学素子は、透明基層と、該透明基層の表面上のマイクロレンズのアレイとを含むマイクロレンズアレイシートを含む、請求項２に記載の容器。
【請求項４】
前記マイクロレンズシートは、前記第２の位置において前記第１のパネル上の前記パターンの拡大イメージが該マイクロレンズアレイシートを通して見えるように、凸レンズのアレイを含む、請求項３に記載の容器。
【請求項５】
前記マイクロレンズアレイシートは、六角形のマイクロレンズのアレイを含む、請求項３又は４に記載の容器。
【請求項６】
前記第１のパネルの前記外面の前記領域に施された前記パターンはマイクロパターンである、請求項１から５のいずれかに記載の容器。
【請求項７】
前記第１のパネル及び前記第２のパネルは、前記第１の位置と前記第２の位置との間で互いに対して相対的に摺動可能である、請求項１から６のいずれかに記載の容器。
【請求項８】
前記第１のパネル及び前記第２のパネルは、前記第１の位置と前記第２の位置との間で互いに対して相対的に枢動可能である、請求項１から６のいずれかに記載の容器。
【請求項９】
第２の位置において付加的なパターンが少なくとも部分的に前記第１のパネル上の前記パターンの上に重なるように、前記透明光学素子の内面に付加的なパターンが施されている、請求項１から８のいずれかに記載の容器。
【請求項１０】
前記消費財を収納するための内側スライドを含み、前記第１のパネルは、前記内側スライドの壁を形成しており、前記第２のパネルは、前記第１のパネルに対して相対的に移動できるように、前記内側スライド上に取り付けられている、請求項１から９のいずれかに記載の容器。
【請求項１１】
前記第２のパネルを含む外側スリーブを更に含み、前記外側スリーブは、前記内側スライドに対して相対的に摺動移動できるように、前記内側スライドの周りに取り付けられている、請求項１０に記載の容器。
【請求項１２】
前記内側スライドは、閉鎖位置と開放位置との間で移動可能な少なくとも１つのヒンジリッドを含む、請求項１０又は１１に記載の容器。
【請求項１３】
前記第２のパネルは、前記閉鎖位置と前記開放位置との間の前記ヒンジリッドの移動が、前記第１の位置と前記第２の位置との間の前記第１のパネル及び前記第２のパネルの相対的移動を生じさせるように構成されている、請求項１２に記載の容器。
【請求項１４】
１本又はそれ以上の喫煙物品を含む、請求項１から１３のいずれかに記載の容器。
【発明の詳細な説明】
【技術分野】
【０００１】
本発明は、消費財用の新規な容器に関する。本容器は、シガレットのような細長い喫煙物品用の容器として特定の用途を満足させる。
【背景技術】
【０００２】
例えば、細長い喫煙物品のような消費財を折り畳んだ積層ブランクから形成された容器で包装することは公知である。例えば、シガレット及びシガーのような細長い喫煙物品は、一般に、喫煙物品を収納するための箱及び容器後壁の幅方向にわたって延びるヒンジ線の周りで箱に結合された蓋を有するヒンジリッドパックに入れて販売されている。外側シェル又はスリーブ及び消費財が収納され外側シェル内部で摺動可能な内側スライド又はトレイを含む容器に消費財を包装することも公知である。
【０００３】
消費者に情報、例えば製品及び製造業者に関する情報を伝達するために、通常、グラフィックス及びテキストが、消費財用包装の外部に施されている。一般に、視覚的に興味を引く製品を提供するために、グラフィックのデザイン及びパターンは消費財用包装の表面に施されている。
【先行技術文献】
【特許文献】
【０００４】
【特許文献１】欧州特許出願公開第１，９０５，６１３号
【発明の概要】
【発明が解決しようとする課題】
【０００５】
情報又はグラフィックスを視覚的に消費者に提示するための新規な方法を提供する消費財用容器を提供することが望ましい。
【０００６】
本発明によれば、外面の所定の領域にパターンのある第１のパネルと、透明光学素子を含む第２のパネルとを備える消費財用容器が提供される。第１のパネル及び第２のパネルは、第２のパネルの透明光学素子が第１のパネル上のパターンの上に重ならない第１の位置と、第２のパネル内の透明光学素子が少なくとも部分的に第１のパネル上のパターンの上に重なる第２の位置との間で互いに対して相対的に移動可能であり、変更されたパターンのイメージが透明光学素子を通して見えるようになっている。
【０００７】
用語「光学素子」は、光学素子を通して見える物体のイメージが何らかの方法で視覚的に変更されるような方法で光学素子を通過する光を変更する任意の光学構成要素を指すために用いられる。例えば、光学素子は、それを通過する光の少なくとも一部を屈折、反射、回折、拡散、濾過、又は偏光させ、それにより、例えば拡大、縮小、歪曲、着色、フーリエ変換、濾過、又は別の方法でパターン若しくはその組み合わせの視覚表示を変化させることによって、パターンの視覚表示を変更することができる。
【０００８】
第２のパネルに組み込まれる光学素子の種類によって、第２の位置にある光学素子を通して見えるイメージの大きさ、色、コントラスト、鮮明度、奥行き、可視性、又はそれらの任意の組み合わせ等を変更することができる。
【０００９】
用語「光」は、本明細書全体を通して、電磁放射線を指すために用いられる。電磁放射線は、可視スペクトル内にあること、すなわち約３８０ｎｍ〜約７８０ｎｍの波長を備えた電磁放射線であることが好ましい。しかしながら、用語「光」は、本発明に関しては、可視スペクトル内での効果がもたらされるように光学素子が光を変更する近不可視スペクトル（赤外又は紫外の）内の電磁放射線を指すためにも用いられる。
【００１０】
「透明な」は、少なくとも光のごく一部が光学素子を通り抜けて伝送されることを意味する。光学素子の透明度は、第１のパネル上のパターンのイメージが第２の位置にある光学素子を通して見えることが必須である。透明度は、約５パーセント〜約１００パーセントの範囲にあることが好ましく、約３０パーセント〜約９５パーセントの範囲にあることがより好ましい。
【００１１】
用語「外面」は、本明細書全体を通して、容器の外側から見える容器の表面を示すために用いられる。
【００１２】
第１の位置では、透明光学素子は、第１のパネルの外面のパターンと合致せずに、容器の異なる部分の上に重なる。パターンは、カバーを取り外すことができるので、消費者は変更されていない形態を見ることができる。代替的に、第１の位置では、パターンが見えないように、通常は不透明である容器の別の壁又はパネルでパターンをカバーすることができる。
【００１３】
第２のパネルの透明光学素子の領域は、第２の位置においてパターンが透明光学素子によって完全にカバーされてパターン全体が見えるように、内側にパターンが施されている第１のパネルの領域と実質的に同じ大きさであるか又はそれよりも大きいことが好ましい。
【００１４】
第１のパネルの外面上のパターンとしては、テキスト、ロゴ、イメージ、又は他のグラフィックのデザイン若しくはパターンの任意の組み合わせを挙げることができる。パターンは、消費者に情報を提供するために用いてもよく、容器の装飾的特徴であってもよく、両方であってもよい。パターンは、第１のパネルの外面の一部をカバーしてもよく、パネル全体をカバーしてもよい。
【００１５】
光学素子は、１つ又はそれ以上のレンズを含むことが好ましい。しかしながら、所望の光学的効果に応じて、プリズム又はフィルタのような他の光学構成要素も適切である。光学素子に組み込むレンズの種類は、所望のイメージの種類に応じて調整することができ、例えば、１つ又はそれ以上の凸レンズ、凹レンズ、若しくはフレネルレンズを挙げることができる。
【００１６】
本発明の好ましい実施形態では、光学素子は、透明基層と該透明基層の外面のマイクロレンズのアレイとを含むマイクロレンズアレイシートを備える。用語「マイクロレンズ」は、通常は１ｍｍよりも小さく、１０ミクロンよりも小さいことがより好ましい寸法を有する小型のレンズを指す。マイクロレンズの「アレイ」は、基層上の複数のマイクロレンズの配列を指す。通常、マイクロレンズは、規則的な幾何学的パターンで配列されることになるが、不規則な配列も可能である。特に好ましい実施形態では、マイクロレンズシートは、基層上に正方形又は六角形のマイクロレンズのアレイを備える。
【００１７】
前述のように、マイクロレンズは、任意の種類のレンズとすることができる。第２の位置において、第１のパネル上のパターンの拡大イメージがマイクロレンズシートを通して見えるように、マイクロレンズシートは、凸マイクロレンズのアレイを含むことが好ましい。特定の種類のマイクロレンズアレイシートは、付加的に、変更されたイメージが三次元イメージとして現れるように、第１のパネル上の下にあるパターンの奥行きの知覚力を変更することができる。
【００１８】
光学素子が凸マイクロレンズを備えたマイクロレンズアレイシートを含む本発明の好ましい実施形態では、第１のパネル上のパターンは、マイクロパターンである。用語「マイクロパターン」は、通常人間の肉眼では見えない顕微鏡スケールのパターンを指す。従って、マイクロパターンに組み込まれたテキスト又はグラフィックスは、第２のパネル上の光学素子の凸マイクロレンズを通してのみ見え、また容器の第１及び第２のパネルが第２の位置に移動された場合にのみ消費者に明らかになる。
【００１９】
マイクロレンズアレイシートの製造業者は、欧州特許出願公開第１，９０５，６１３号に記載されている。本発明で用いるのに適したマイクロレンズアレイシートは、グラパックジャパン社から入手可能なＨＡＬＳ（登録商標）シートである。
【００２０】
本発明による容器の特定の実施形態では、第２の位置において付加的なパターンが少なくとも部分的に第１のパネル上のパターンの上に重なるように、透明光学素子の内面に付加的なパターンを施すことができる。この方法では、ユニークな視覚効果を生み出すために、１つのパターンを別のパターンの上に重ね合わせることが可能である。特定の種類の重ね合わせたパターンを用いて、奥行きの感覚を生み出すこともできるであろう。
【００２１】
前述のように、本発明による容器では、第１のパネル及び第２のパネルは、第１の位置と第２の位置との間で互いに対して相対的に移動可能である。パターンが施された第１のパネルは、容器の固定壁のうちの１つの少なくとも一部を形成し、一方で第２のパネルは、固定壁に対して相対的に移動できるように容器上に取り付けることが好ましい。この構成で、消費者は、第２のパネルを容器の残部に対して相対的に移動させることによって、第１の位置と第２の位置との間で移動させることができる。
【００２２】
第２のパネルは、容器の外側に取り付けることができる。代替的に、最初に、第２のパネルは、最初に容器内に設けてもよく、これにより、第１の位置から第２の位置まで移動させるためには、最初、第１のパネルの上に配置する前に第２のパネルを容器の内側から取り出す必要がある。例えば、第２のパネルは、インサートの形態とすることができる。
【００２３】
第１のパネル及び第２のパネルは、第１の位置と第２の位置との間で互いに対して相対的に摺動可能である。例えば、第２のパネルは、容器に対して相対的に移動できるように容器の外側の周りに取り付けられた摺動要素の少なくとも一部を形成することができる。摺動要素は、容器に沿って摺動可能とすること、容器の周りを摺動可能とすることができる。
【００２４】
代替的に、第１のパネル及び第２のパネルは、第１の位置と第２の位置との間で互いに対して相対的に枢動可能であってもよい。例えば、第２のパネルは、容器の壁の１つに沿って延びるヒンジ線を中心として第１のパネルに対して相対的に枢動可能であるように容器に結合することができる。ヒンジ線は、容器の壁の１つの縁部に沿って延びることが好ましく、前壁の縁部に沿って延びることがより好ましい。
【００２５】
第１の位置では、第２のパネルは、外面の壁の上に重ねて、容器の外部上に配置することができる。この場合、消費者が第２のパネルを第１のパネルの上の所定の位置に移動させることを望むまで第２のパネルを所定の位置に保持するために、保持手段を備えることが好ましい。適切な保持手段としては、限定するものではないが、再シール可能接着剤、磁石、及び保持タブが挙げられる。
【００２６】
更に別の代替案では、第２のパネルは、容器に直接永久的に結合する必要はなく、容器から取り外して第１のパネル上のパターンの上の第２の位置へ自由に移動させることができる別途のインサート又はオンサートとして提供することができる。
【００２７】
本発明による容器は、消費財を収納するための箱部分と、容器後壁の幅方向にわたって延びるヒンジ線を中心として箱部分に結合された蓋部分とを備える、公知のヒンジリッド構造体とすることができる。蓋部分は、閉鎖位置と消費財を箱部分から取り出すことができる開放位置との間でヒンジ線を中心として枢動可能である。
【００２８】
第１のパネルは、ヒンジリッド型容器の箱部分の壁を形成することが好ましく、第１のパネルは、パターンがヒンジリッド型容器の前面に提供されるように、箱部分の前壁を形成することが特に好ましい。前述のように、第２のパネルは、ヒンジ線付近で箱部分又は蓋部分に結合してもよく、容器に取り付けられた摺動要素に組み込んでもよい。
【００２９】
代替的に、本発明による容器は、消費財を収納するための内側スライドと、内側スライドに対して相対的に摺動移動できるように内側スライドの周りに取り付けられた外側スリーブとを備える、「スライド及びシェル」構造とすることができる。第１のパネルは、内側スライドの壁の少なくとも一部を形成することが好ましい。例えば、特に好ましい実施形態では、第１のパネルは、パターンが容器の前面の所定の領域をカバーするように、内側スライドの前壁を形成している。この構成では、第２のパネルは、第１のパネルに対して相対的に移動できるように、内側スライド上に取り付けられることが好ましい。
【００３０】
外側スリーブは、透明光学素子を備えた第２のパネルを組み込んでおり、それによって内側スライドに対して相対的な外側スリーブの移動が第１のパネル上のパターンに対して相対的な第２のパネルの移動を生じさせることが好ましい。透明光学素子は、第２のパネルの一部をカバーするので、第２のパネル内に窓を形成することができ、該窓を通してパターンを見ることができる。代替的に、第２のパネル全体を透明光学素子で形成してもよい。外側スリーブの壁を形成する他のパネルは、透明光学素子と同じ材料で形成してもよく、ボール紙、紙、又はプラスチックのような異なる材料で形成してもよい。
【００３１】
外側スリーブの内面が内側スライドの外面の上に重なって当接するように、外側スリーブの内寸は、内側スライドの外寸と実質的に同じであることが好ましい。
【００３２】
本発明の特定の実施形態では、閉鎖位置において内側スライドが外側スリーブで囲まれるように、外側スリーブは、内側スライドと実質的に長さが同じである。この実施形態では、容器の第１のパネル上のパターンは、第１の位置にある外側スリーブの壁によってカバーされることになる。
【００３３】
代替的な実施形態では、内側スライドの少なくとも一部が常に露出しているように、外側スリーブは、内側スライドの一部のみを囲んでいる。例えば、外側スリーブの全長は、内側スライドの全長よりも短くてもよい。外側スリーブは、内側スライドの全周を取り囲んで延びてもよく、内側スライドの一部のみを取り囲んで延びてもよい。
【００３４】
第１の位置では、外側スリーブは、内側スライドの異なる領域の上に、第１のパネル上のパターンを避けて、透明光学素子と共に配置される。パネルを第２の位置に向けて移動させるには、第２のパネルが少なくとも部分的に第１のパネル上のパターンの上に重なり、結果的に変更されたイメージを生じるまで、第２のパネルを含む外側スリーブを第１のパネルに対して相対的に移動させることができる。
【００３５】
必要であれば、本発明による容器は、第１の位置と第２の位置との間の外側スリーブの移動中、外側スリーブと内側スライドとの間の摩擦を増大させるために、摩擦要素を更に備えることができる。内側スライドと外側スリーブとの間のより高いレベルの摩擦は、外側スリーブの意図しない移動を有利に防止する。
【００３６】
本発明による容器の内側スライドは、閉鎖位置と開放位置との間で移動可能な少なくとも１つのヒンジリッドを含むことができる。内側スライドの消費財にアクセスするためには、消費者は、開放位置に向けて、ヒンジ線を中心としてヒンジリッドを枢動させる必要がある。内側スライドは、ヒンジリッドが容器後部の幅方向にわたって延びるヒンジリッドに沿って箱部分に結合される標準的ヒンジリッドパックの形態をとることができる。
【００３７】
容器がヒンジリッド又は蓋部分を含む場合、閉鎖位置と開放位置との間でのヒンジリッドの相対的移動が第１の位置と第２の位置との間での第１のパネル及び第２のパネルの相対的移動を生じさせるように第２のパネルを容器上に配置することができる。逆に、第１のパネルに対して相対的な第２のパネルの摺動移動が閉鎖位置から開放位置へのヒンジリッドの移動を生じさせるように第２のパネルを配置することもできる。
【００３８】
例えば、第２のパネルが第１のパネルに対して相対的に摺動可能である場合、開放位置に向かうヒンジリッドの移動が第２のパネルの摺動移動を生じさせるように、第２のパネル又は第２のパネルを組み込んだ外側スリーブをヒンジリッドに結合することができる。第２のパネルをヒンジリッドと結合する適切な手段としては、例えば、ヒンジリッドの移動と同時に互いに係合するフラップ構成を挙げることができる。
【００３９】
本発明による容器は、光学素子が最初に第１の位置にある状態で、又は光学素子が最初に第２の位置にある状態で消費者に提示することができる。光学素子が最初に第１の位置にある場合、光学素子を第２の位置に移動させることによって視覚効果がもたらされる。光学素子が最初に第２の位置にある場合、視覚効果はすでに明らかになっているか、又は光学素子が第２の位置から第１の位置へ移動されたときにのみ明らかになる可能性がある。例えば、光学素子は、光学素子が取り除かれた時点でのみパターンが見えるように、パターンの上に重なって歪曲することができる。この光学素子の１つの例は、光フィルタである。本実施形態では、パターンは、光フィルタが第２の位置から第１の位置まで移動された時点で活性化する有色インクを含むことができる。有色インクは、例えば、赤外光又は紫外光のような不可視光によって活性化されている間に、可視スペクトルに影響を与えることができる。
【００４０】
本発明は更に、外面の所定の領域にパターンのある少なくとも第１のパネルを備えた容器を準備する段階と、透明光学素子を含む第２のパネルを準備する段階と、第２のパネルの透明光学素子が少なくとも部分的に第１のパネル上のパターンの上に重なるように第１のパネル及び第２のパネルを相互に関連付ける段階とを含み、変更されたパターンのイメージが透明光学素子を通して見えるようになる、容器上のパターンの視覚的外観を変更する方法を対象とする。第２のパネルは、容器の一部を形成することが好ましい。第１のパネル及び第２のパネルは、第２のパネルが少なくとも部分的に第１のパネル上のパターンの上に重なるまで第１のパネル及び第２のパネルを互いに対して相対的に移動させることによって相互に関連付けられることが好ましい。
【００４１】
容器は、限定するものではないが、ボール紙、板紙、プラスチック又はそれらの組み合わせを含む任意の適切な材料から形成することができる。容器は、１つ又はそれ以上の折り畳んだ積層ボール紙ブランクから形成されることが好ましく、ボール紙は、約１００グラム／ｍ2から約３５０グラム／ｍ3の重量を有することが好ましい。
【００４２】
本発明による容器の構成要素の相対的位置を説明するために用いられる用語「前」、「背面」、「上の」、「下の」、「側」、「上」、「底」、「左」、「右」及び他の用語は、直立位置にある容器を指す。直立位置にある容器が開放されている場合、内側スライドに収められている消費財を容器の上端部から取り出すことができる。ヒンジリッド型容器は、蓋が上端部にあり、且つヒンジが後ろにある状態で直立位置にある。
【００４３】
用語「左」及び「右」は、容器をその直立位置で前から見たときの容器の側壁を参照して用いられる。
【００４４】
用語「縦の」は、底から上に向かう方向を指し、逆もまた同様である。用語「横の」は、縦方向に垂直な方向を指す。
【００４５】
同様に、用語「上向きに」及び「下向きに」は、本発明による容器が直立位置にあるときの該容器のハウジングに対して相対的な摺動要素（存在する場合）の動きを説明するために用いられる。
【００４６】
本発明による容器は、直角の縦縁部及び直角の横縁部を備えた直方体の形状とすることができる。代替的に、容器は、１つ又はそれ以上の丸みを付けた縦縁部、丸みを付けた横縁部、傾斜を付けた縦縁部、又は傾斜を付けた横縁部、若しくはそれらの組み合わせを含むことができる。例えば、本発明による容器は、限定するものではないが、
−前壁上の１つ又は２つの縦方向の丸み又は傾斜を付けた縁部、及び／又は後壁上の１つ又は２つの縦方向の丸み又は傾斜を付けた縁部、
−前壁上の１つ又は２つの横方向の丸み又は傾斜を付けた縁部、及び／又は後壁上の１つ又は２つの横方向の丸み又は傾斜を付けた縁部、
−前壁上の１つの縦方向の丸みを付けた縁部及び１つの縦方向の傾斜を付けた縁部、及び／又は後壁上の１つの横方向の丸みを付けた縁部及び１つの横方向の傾斜を付けた縁部、
−前壁上の１つ又は２つの横方向の丸み又は傾斜を付けた縁部及び前壁上の１つ又は２つの縦方向の丸み又は傾斜を付けた縁部、
−第１の側壁上の２つの縦方向の丸み又は傾斜を付けた縁部又は第２の側壁上の２つの横方向の丸み又は傾斜を付けた縁部、
を含むことができる。
【００４７】
容器が１つ又はそれ以上の丸みを付けた縁部を含み、１つ又はそれ以上の積層ブランクから作製される場合、ブランクは、組み立て済み容器において各丸みを付けた縁部を形成するために、３つ、４つ、５つ、６つ、又は７つの刻み線又は折り線を含むことが好ましい。刻み線又は折り線は、容器の内側又は容器の外側のいずれかにある。刻み線又は折り線は、約０．３ｍｍ〜４ｍｍだけ相互に間隔をあけて配置されることが好ましい。
【００４８】
折り線又は刻み線の間隔は、積層ブランクの厚さの関数であることが好ましい。折り線又は刻み線間の間隔は、積層ブランクの厚さよりも約０．５〜約４倍大きいことが好ましい。
【００４９】
容器が１つ又はそれ以上の傾斜を付けた縁部を含む場合、この傾斜を付けた縁部は、約１ｍｍ〜約１０ｍｍ、好ましくは約２〜約６ｍｍの幅を有することが好ましい。代替的に、容器は、該容器の縁部上に２つの別個の傾斜が形成されるように間隔をあけて配置される３つの平行な折り線又は刻み線によって形成された二重傾斜を含んでもよい。
【００５０】
容器が傾斜を付けた縁部を含み、１つ又はそれ以上の積層ブランクから作製される場合、傾斜は、積層ブランク内の２つの平行な折り線又は刻み線によって形成することができる。折り線又は刻み線は、第１の壁と第２の壁との間に縁部に対して対称的に配置することができる。代替的に、折り線又は刻み線は、傾斜が容器の第２の壁内よりも容器の第１の壁内に延びるように、第１の壁と第２の壁との間に縁部に対して非対称的に配置することができる。
【００５１】
代替的に、容器は、非矩形の横断面、例えば、三角形又は六角形のような多角形、半楕円形、又は半円形の横断面を有することができる。
【００５２】
本発明による容器は、例えば、シガレット、シガー、又はシガリロのような細長い喫煙物品用のパックとして特定の用途がある。容器の寸法の適切な選択により、本発明による容器は、異なる数の従来サイズ、キングサイズ、スーパーキングサイズ、スリム又はスーパースリムシガレットのために設計できることを理解されたい。代替的に、他の消費財を容器の内部に収納できる。
【００５３】
容器の寸法を適切に選択することで、本発明による容器は、異なる総数の喫煙物品、又は異なる配列の喫煙物品を保持するように設計できる。例えば、容器の寸法を適切に選択することで、本発明による容器は、合計で１０本〜３０本の喫煙物品を保持するように設計できる。
【００５４】
喫煙物品は、喫煙物品の総数に応じて、異なる順番で配列することができる。例えば、喫煙物品は、６本、７本、８本、９本、又は１０本の単一の列に配列することができる。代替的に、喫煙物品は、２つ又はそれ以上の列に配列してもよい。２つ又はそれ以上の列には、同数の喫煙物品を収めることができる。例えば、喫煙物品は、５本、６本、７本、８本、９本、又は１０本の２列、５本又は７本の３列、又は４本、５本、又は６本の４列に配列することができる。代替的に、２つ又はそれ以上の列は、互いに異なる数の喫煙物品を収めた少なくとも２つの列を含むことができる。例えば、喫煙物品は、５本の列と６本の列（５−６）、６本の列と７本の列（６−７）、７本の列と８本の列（７−８）、５本の中央列と６本の２つの外側列（６−５−６）、５本の中央列と７本の２つの外側列（７−５−７）、６本の中央列と５本の２つの外側列（５−６−５）、６本の中央列と７本の２つの外側列（７−６−７）、７本の中央列と６本の２つの外側列（６−７−６）、９本の中央列と８本の２つの外側列（８−９−８）、又は５本の１つの外側列及び７本の１つの外側列を備える６本の中央列（５−６−７）に配列することができる。
【００５５】
本発明による容器は、同じ種類又はブランドの喫煙物品を保持してもよく、異なる種類又はブランドの喫煙物品を保持してもよい。加えて、異なる長さ（例えば、約４０ｍｍ〜約１８０ｍｍ）、直径（例えば、約４ｍｍ〜約９ｍｍ）の喫煙物品のみならず、フィルタレス喫煙物品及び種々のフィルタチップを備えた喫煙物品の両方を収めることができる。加えて、喫煙物品は、風味の強度、吸引抵抗、及び粒子状物質総送達量が異なっていてもよい。容器の寸法は、喫煙物品の全長及び喫煙物品の順番に適合することが好ましい。一般的に、容器の外寸は、容器の内側に収納された喫煙物品の一束又は複数束の寸法よりも約０．５ｍｍ〜約５ｍｍ大きい。
【００５６】
本発明による容器の長さ、幅、及び奥行きは、閉鎖位置で、結果として得られる容器の全体寸法が２０本のシガレットの一般的な使い捨てヒンジリッド型パックの寸法と同様となるようにすることができる。
【００５７】
本発明による容器は、高さを容器の底壁から上壁まで測定した場合に、約６０ｍｍ〜約１５０ｍｍの高さを有することが好ましく、約７０ｍｍ〜約１２５ｍｍの高さを有することがより好ましい。
【００５８】
本発明による容器は、幅を容器の１つの側壁から別の側壁まで測定した場合に、約１２ｍｍ〜約１５０ｍｍの幅を有することが好ましく、約７０ｍｍ〜約１２５ｍｍの幅を有することがより好ましい。
【００５９】
本発明による容器は、奥行きを容器の前壁から後壁まで測定した場合に、約６ｍｍ〜約１５０ｍｍの奥行きを有することが好ましく、約１２ｍｍ〜約２５ｍｍの奥行きを有することがより好ましい。
【００６０】
容器の高さと容器の奥行きの比は、約０．３対１と約１０対１の間にあることが好ましく、約２対１と約８対１の間にあることがより好ましく、約３対１と５対１の間にあることが最も好ましい。
【００６１】
容器の幅と容器の奥行きの比は、約０．３対１と約１０対１の間にあることが好ましく、約２対１と約８対１の間にあることがより好ましく、約２対１と３対１の間にあることが最も好ましい。
【００６２】
第１のパネル上のパターンに加えて、本発明による容器の内面又は外面、又は内面と外面の両方に、製造業者又はブランドのロゴ、商標、スローガン、及び他の消費者情報並びに標示を印刷、エンボス加工、デボス加工、又は装飾することができる。
【００６３】
本発明による容器内部の消費財は、個別に包装することができる。このことは、本発明による容器が開放されて最初の消費財が取り出された時点で、消費財の残りは依然として包装されており、ほこり、日光、又は他の環境影響から保護された状態が維持されるという利点を有する。
【００６４】
充填された状態で、本発明による容器は、従来の方法で、例えば、高密度又は低密度のポリエチレン、ポリプロピレン、配向ポリプロピレン、ポリ塩化ビニリデン、セルロースフィルム、又はそれらの組み合わせの透明高分子フィルムで収縮包装するなどしてオーバーラップすることができる。本発明による容器をオーバーラップする場合、包装材は、１つ又はそれ以上の開封テープを含むことができる。加えて、包装材には、イメージ、消費者情報、又は他のデータを印刷することができる。
【００６５】
本発明によるヒンジリッド型容器は、単一の積層ブランクから形成されていることが好ましい。
【００６６】
本発明は、例示的に添付の図面を参照して以下に説明する。
【図面の簡単な説明】
【００６７】
【図１】本発明による第１のパネル及び第２のパネルが第１の位置にある容器の斜視前面図である。
【図２】第１のパネル及び第２のパネルが第２の位置にある図１の容器の斜視図である。
【発明を実施するための形態】
【００６８】
図１に示す容器１０は、直方体であり、箱１２と、容器後壁の幅方向にわたって実質的に水平に延びるヒンジ線に沿って箱に結合された蓋１４とを備える。喫煙物品の束（図示せず）は、容器１０の箱１２に収納されている。
【００６９】
箱１２は、箱前壁１６、箱後壁、箱底壁、箱左側壁、及び箱右側壁１８を備える。箱前壁１６は、容器の第１のパネルに相当する。箱前壁１６には、前壁のほぼ中央に、矩形のパターンのある領域２０が設けられている。マイクロパターン２２（図１に小円形ドットによって概略的に示す）は、公知の印刷技術を用いて、パターンのある領域２０に施されている。マイクロパターン２２は人間の肉眼では見えないので、箱前壁上のパターンのある領域２０は、箱前壁の残部と区別できないことになる。
【００７０】
外側スリーブ２４は、容器１０に沿って摺動移動できるように、容器１０の外側を取り囲んで取り付けられている。外側スリーブ２４の全長は、容器の全長のほぼ３分の１である。外側スリーブ２４は、スリーブ前壁２６、スリーブ後壁、スリーブ左側壁、スリーブ右側壁２８を備える。スリーブ前壁２６は、容器の第２のパネルに相当する。外側スリーブ２４は、上部及び底部に対向する開放端を有し、透明基層上に凸マイクロレンズの正方形アレイを含む透明なマイクロレンズアレイシート材料で形成されている。
【００７１】
図１は、前述したように第１及び第２のパネルが第１の位置にある容器１０を示す。この位置では、外側スリーブ２４は、蓋１４を開放できないように蓋１４の周りで容器の上端部に配置されている。箱前壁１６上のパターンのある領域２０はカバーされておらず、マイクロパターン２２は消費者には見えない。
【００７２】
図２に、前述したように第１及び第２のパネルが第２の位置にある容器１０を示す。この位置では、外側スリーブ２４は、スリーブ前壁２６が箱前壁１６上のパターンのある領域２０の上に重なるまで、容器に沿って下向きに移動されている。外側スリーブ２４はもはや蓋１４を取り囲んでいないので、箱内部から喫煙物品を取り出すために蓋を開放位置に枢動させることができる。
【００７３】
図２に概略的に示すように、マイクロレンズアレイシート材料は、パターンのある領域２０のマイクロパターン２２を拡大するので、消費者はパターンの拡大イメージ３０（図２に拡大した円によって概略的に示す）を見ることができる。
【００７４】
容器１０は、公知の方法及び装置を用いて、単一の積層ブランクから組み立てられている。外側スリーブ２４は、所定の形状に折り畳まれて糊付けされたマイクロレンズアレイシート片から形成されている。外側スリーブ２４は、組み立てた後に組み立て済みの容器に取り付けてもよく、容器の周りで直接折り畳んで糊付けしてもよい。
【符号の説明】
【００７５】
１０  容器
１２  箱
１４  蓋
１６  箱前壁
１８  箱右側壁
２０  パターンのある領域
２２  マイクロパターン
２４  外側スリーブ
２６  スリーブ前壁
２８  スリーブ右側壁
【図１】
2013538166.tif 000003
【図２】
2013538166.tif 000004
【手続補正書】
【提出日】平成25年3月15日(2013.3.15)
【手続補正１】
【補正対象書類名】特許請求の範囲
【補正対象項目名】全文
【補正方法】変更
【補正の内容】
【特許請求の範囲】
【請求項１】
外面の所定の領域にパターンのある第１のパネルと、
透明光学素子を含む第２のパネルと、
を備え、
前記第１のパネル及び前記第２のパネルは、前記第２のパネルの前記透明光学素子が前記第１のパネル上の前記パターンの上に重ならない第１の位置と、前記第２のパネルの前記透明光学素子が少なくとも部分的に前記第１のパネル上の前記パターンの上に重なる第２の位置との間で互いに対して相対的に移動可能であり、変更された前記パターンのイメージが前記透明光学素子を通して見えるようになった、消費財用容器。
【請求項２】
前記透明光学素子は、１つ又はそれ以上のレンズを含む、請求項１に記載の容器。
【請求項３】
前記透明光学素子は、透明基層と、該透明基層の表面上のマイクロレンズのアレイとを含むマイクロレンズアレイシートを含む、請求項２に記載の容器。
【請求項４】
前記マイクロレンズシートは、前記第２の位置において前記第１のパネル上の前記パターンの拡大イメージが該マイクロレンズアレイシートを通して見えるように、凸レンズのアレイを含む、請求項３に記載の容器。
【請求項５】
前記第１のパネル及び前記第２のパネルは、前記第１の位置と前記第２の位置との間で互いに対して相対的に摺動可能である、請求項１から４のいずれかに記載の容器。
【請求項６】
前記第１のパネル及び前記第２のパネルは、前記第１の位置と前記第２の位置との間で互いに対して相対的に枢動可能である、請求項１から４のいずれかに記載の容器。
【請求項７】
前記消費財を収納するための内側スライドを含み、前記第１のパネルは、前記内側スライドの壁を形成しており、前記第２のパネルは、前記第１のパネルに対して相対的に移動できるように、前記内側スライド上に取り付けられている、請求項１から６のいずれかに記載の容器。
【請求項８】
前記第２のパネルを含む外側スリーブを更に含み、前記外側スリーブは、前記内側スライドに対して相対的に摺動移動できるように、前記内側スライドの周りに取り付けられている、請求項７に記載の容器。
【請求項９】
前記内側スライドは、閉鎖位置と開放位置との間で移動可能な少なくとも１つのヒンジリッドを含み、前記第２のパネルは、前記閉鎖位置と前記開放位置との間の前記ヒンジリッドの移動が、前記第１の位置と前記第２の位置との間の前記第１のパネル及び前記第２のパネルの相対的移動を生じさせるように構成されている、請求項７又は８に記載の容器。
【請求項１０】
１本又はそれ以上の喫煙物品を含む、請求項１から９のいずれかに記載の容器。
【国際調査報告】
2013538166.tif 000005
2013538166.tif 000006
2013538166.tif 000007